【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
室内に設置される室内機と屋外に設置される室外機とを有し、前記室外機に配置された圧縮機により冷媒を循環させる冷凍サイクルを用いた空気調和装置であって、
前記室外機が、
鋼板にて成形され、少なくとも正面パネルと側面パネルを有する筐体と、
前記室外機本体の少なくとも背面に位置し、外気と前記冷媒とを熱交換させる室外熱交換器と、
この室外熱交換器と前記正面パネルの間に設置され、前記室外熱交換器に外気を通過させ、前記正面パネルに形成された吹き出し口から前記室外熱交換器を通過させた外気を吹き出す室外ファンと、
前記側面パネルに設けられ、前記室外機の本体内部に設置された端子台に前記室内機と前記室外機とを結ぶケーブルを接続するために、このケーブルを引き込むケーブル引き込み口と、
前記冷凍サイクルを形成する冷媒回路にて前記室内機と前記室外機とを接続する接続配管が接続され、前記側面パネルを通過して前記室外機本体の側方に突出する接続バルブと、
室外機制御装置を含む電気電子部品が実装され、前記端子台に配線を介して接続される制御基板と、
前記圧縮機の上方に配置され、前記制御基板の少なくとも四方周囲を囲って前記制御基板を保持する金属製の基板ホルダーと、
この基板ホルダーに前記ケーブル引き込み口に対向するように設けられ、前記制御基板に実装された電気電子部品を冷却する冷却空気を取り入れる空気取り入れ口と、
前記側面パネルに固定され、前記ケーブル引き込み口と前記接続バルブを外側方から覆う金属材料で形成されたカバーと、
前記正面パネルに固定され、複数の開口を有して前記吹き出し口を覆う金属材料で形成されたファンガードと、を備えるとともに、
前記室内機の本体には、当該空気調和装置の標準使用期間を表記する表記部が設けられたことを特徴とする空気調和装置。
【請求項２】
室内に設置される室内機と屋外に設置される室外機とこの室外機に配置された圧縮機により冷媒を循環させる冷凍サイクルとを有し、長期使用による経年劣化に起因して発生した当該空気調和装置の火災事故の情報が製造業者によって公開される空気調和装置であって、
前記室外機が、
鋼板にて成形され、少なくとも正面パネルと側面パネルを有する筐体と、
前記室外機本体の少なくとも背面に位置し、外気と前記冷媒とを熱交換させる室外熱交換器と、
この室外熱交換器と前記正面パネルの間に設置され、前記室外熱交換器に外気を通過させ、前記正面パネルに形成された吹き出し口から前記室外熱交換器を通過させた外気を吹き出す室外ファンと、
前記側面パネルに設けられ、前記室外機の本体内部に設置された端子台に前記室内機と前記室外機とを結ぶケーブルを接続するために、このケーブルを引き込むケーブル引き込み口と、
前記冷凍サイクルを形成する冷媒回路にて前記室内機と前記室外機とを接続する接続配管が接続され、前記側面パネルを通過して前記室外機本体の側方に突出する接続バルブと、
室外機制御装置を含む電気電子部品が実装され、前記端子台に配線を介して接続される制御基板と、
前記圧縮機の上方に配置され、前記制御基板の少なくとも四方周囲を囲って前記制御基板を保持する金属製の基板ホルダーと、
この基板ホルダーに前記ケーブル引き込み口に対向するように設けられ、前記制御基板に実装された電気電子部品を冷却する冷却空気を取り入れる空気取り入れ口と、
前記側面パネルに固定され、前記ケーブル引き込み口と前記接続バルブを外側方から覆う金属材料で形成されたカバーと、
前記正面パネルに固定され、複数の開口を有して前記吹き出し口を覆う金属材料で形成されたファンガードと、を備えるとともに、
前記室内機の本体には、当該空気調和装置の標準使用期間を表記する表記部が設けられたことを特徴とする空気調和装置。
【請求項３】
前記室外機が、前記圧縮機が配置される空間と前記室外ファンが配置される空間を区切る仕切り板を備え、前記空気取り入れ口から取り入れられた冷却空気が、前記室外ファンが配置される空間へ吹き出されるとともに、その吹き出し位置が、前記室外機本体の左右方向に対して前記室外ファンの最外周と前記仕切り板との間であることを特徴とする請求項１または請求項２に記載の空気調和装置。
【請求項４】
前記室外ファンが、プロペラファンと、このプロペラファンを回転駆動させる駆動モータと、から構成され、前記プロペラファンが、難燃性の樹脂材料にて成形されていることを特徴とする請求項１から請求項３のいずれかに記載の空気調和装置。
【請求項５】
室内に設置される室内機と屋外に設置される室外機とを有し、前記室外機に配置された圧縮機により冷媒を循環させる冷凍サイクルを用いた空気調和装置であって、
前記室外機の外郭部品と、これら外郭部品を互いに締結固定する締結部品と、室外機制御装置を含む電気電子部品が実装される制御基板の少なくとも四方周囲を囲って前記制御基板を保持する金属製の基板ホルダーと、が金属材料で構成されているとともに、
前記室内機の本体には、当該空気調和装置の標準使用期間を表記する表記部が設けられていることを特徴とする空気調和装置。
【請求項６】
当該空気調和装置の運転稼働時間を積算する手段と、
この運転稼働時間を積算する手段によって得られた運転積算時間を記憶する手段と、
を備えたことを特徴とする請求項１から請求項５のいずれかに記載の空気調和装置。
【請求項７】
前記室内機の本体に設けられ、当該空気調和装置の実使用期間が標準使用期間を経過した後で、少なくとも当該空気調和装置の運転時には、実使用期間が標準使用期間を経過したことを知らせる経過表示部を備えたことを特徴とする請求項１から請求項６のいずれかに記載の空気調和装置。
【請求項８】
前記表記部に表記される標準使用期間が、１３年もしくは１３年よりも長い期間であることを特徴とする請求項１から請求項７のいずれかに空気調和装置。
【請求項９】
室内に設置される室内機と屋外に設置される室外機とこの室外機に配置された圧縮機により冷媒を循環させる冷凍サイクルとを有する空気調和装置の長期使用よる経年劣化に起因した火災の発生を防ぐための空気調和装置の安全管理方法であって、
前記室外機を、
鋼板にて成形され、少なくとも正面パネルと側面パネルを有する筐体と、
前記室外機本体の少なくとも背面に位置し、外気と前記冷媒とを熱交換させる室外熱交換器と、
この室外熱交換器と前記正面パネルの間に設置され、前記室外熱交換器に外気を通過させ、前記正面パネルに形成された吹き出し口から前記室外熱交換器を通過した外気を吹き出す室外ファンと、
前記側面パネルに設けられ、前記室外機の本体内部に設置された端子台に前記室内機と前記室外機とを結ぶケーブルを接続するために、このケーブルを引き込むケーブル引き込み口と、
前記冷凍サイクルを形成する冷媒回路にて前記室内機と前記室外機とを接続する接続配管が接続され、前記側面パネルを通過して前記室外機本体の側方に突出する接続バルブと、
室外機制御装置を含む電気電子部品が実装され、前記端子台に配線を介して接続される制御基板と、
前記圧縮機の上方に配置され、前記制御基板の少なくとも四方周囲を囲って前記制御基板を保持する金属製の基板ホルダーと、
この基板ホルダーに前記ケーブル引き込み口に対向するように設けられ、前記制御基板に実装された電気電子部品を冷却する冷却空気を取り入れる空気取り入れ口と、
前記側面パネルに固定され、前記ケーブル引き込み口と前記接続バルブを外側方から覆う金属材料で形成されたカバーと、
前記正面パネルに固定され、複数の開口を有して前記吹き出し口を覆う金属材料で形成されたファンガードと、を備えるようにして、前記室外機に火災が発生した場合に、その火災が外部からの火による火災か当該空気調和装置の長期使用による経年劣化に起因した火災かを特定できるように構成するとともに、
前記室内機の本体には、当該空気調和装置の標準使用期間を表記する表記部を設け、
長期使用による経年劣化に起因して発生した当該空気調和装置の火災の情報を公開し、長期使用している他の当該空気調和装置の使用者に対して当該空気調和装置の安全点検の実施を呼びかけることを特徴とする空気調和装置の安全管理方法。
【手続補正２】
【補正対象書類名】明細書
【補正対象項目名】００７２
【補正方法】変更
【補正の内容】
【００７２】
側面パネル４０の下部のバルブ突出口４０ｂからは、バルブ４８、４９が突出する。バルブプレート５０は側面パネル４０の内側に位置する。天面パネル４１は内側（図７においては下側）に向いて外周壁を有し、その外周壁の内面に正面パネル３８と側面パネル４０の上部をあてがうようにして、天面パネル４１の外周壁が外側となるように正面パネル３８と側面パネル４０にネジ固定される。
【手続補正３】
【補正対象書類名】明細書
【補正対象項目名】００８３
【補正方法】変更
【補正の内容】
【００８３】
仕切り板４３の上部は一部が切り欠かれていて、その部分に、室外側制御装置１４や電気電子部品が実装された制御基板４６を有する制御装置構造体８０が、一部が送風機室２２０に出っ張って、機械室２１０の上部に設置される。制御装置構造体８０は、仕切り板４３や側面パネル４０に固定されるのだが、図７においては、その制御装置構造体８０は図示されておらず、省かれている。